(57)【要約】【課題】本発明は、アンテナを内蔵する携帯無線機において、更なる小型化や薄型化を達成することを目的とする。【解決手段】本発明の携帯電話機１は、基準電位パターン及び電子部品を有する回路基板７０と、電子部品を覆うように配置されると共に、基準電位パターンと導通する導電性の第１ケース部６２、及び第１ケース部６２と連続的に配置されると共に、回路基板７０の外縁に配置される非導電性の第２ケース部６４を有するケース体６０と、を備える。そして、フレキシブル配線基板５０における第２ケース部６４に積層配置された部分には、アンテナエレメント６６が配置される。【選択図】図３
2008113209.tif 000002
【特許請求の範囲】
【請求項１】
基準電位パターン及び電子部品を有する回路基板と、
前記電子部品を覆うように配置されると共に、前記基準電位パターンと導通する導電性の第１ケース部、及び前記第１ケース部と連続的に配置されると共に、前記回路基板の外縁に配置される非導電性の第２ケース部を有するケース体と、
前記ケース体における前記回路基板側と反対の側に前記第１ケース部から前記第２ケース部にわたって積層配置される配線基板と、
前記回路基板、前記ケース体及び前記配線基板を収納する筐体と、を備え、
前記配線基板における前記第２ケース部に積層配置された部分には、アンテナエレメントが配置される携帯無線機。
【請求項２】
前記配線基板における少なくとも前記第１ケース部に積層配置された部分に複数のキースイッチを有し、筐体とキースイッチとの間にキーシートを備える請求項１の携帯無線機。
【請求項３】
前記複数のキースイッチは、前記第１ケース部から前記第２ケース部まで配置される請求項２記載の携帯無線機。
【請求項４】
前記第１ケース部と前記第２ケース部とは別個の部材として構成されると共に、互いに係合して一体化されている請求項１乃至３のいずれか１に記載の携帯無線機。
【請求項５】
前記ケース体は、前記第１ケース部と前記第２ケース部とが樹脂により一体的に成形され、
前記第１ケース部を構成する部位が導体膜により被覆されている請求項１乃至３のいずれか１に記載の携帯無線機。
【請求項６】
前記回路基板における前記電子部品が配置された面と反対側の裏面には、前記アンテナエレメントに電力を供給可能な給電点が配置され、
前記配線基板の前記ケース体側における面の一端側には、前記給電点に接続可能であると共に前記アンテナエレメントに導通する接続部が配置され、
前記配線基板における前記接続部を含む部分が折り曲げられるようにして前記回路基板の前記裏面側に延設され、前記接続部と前記給電点とが接続される請求項１乃至５のいずれか１に記載の携帯無線機。
【発明の詳細な説明】
【技術分野】
【０００１】
本発明は、アンテナを内蔵する携帯電話機、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置やノートパソコン等のアンテナを備える携帯無線機に関する。
【背景技術】
【０００２】
従来、携帯無線機としての携帯電話機では筐体の外部にアンテナを取り付ける構造が採用されていた。しかし、近年、デザイン上の理由等から、アンテナを筐体に内蔵する構造が採用されつつある。
【０００３】
また、携帯電話機等の無線通信端末が、通信方式としてのＣＤＭＡ２０００の一種であるＥＶ−ＤＯやデュアルバンド＋ＧＰＳ（グローバルポジショニングシステム）、近距離無線通信方式の一種であるＢｌｕｅｔｏｏｔｈ等に対応する場合には、アンテナを２つ以上設ける必要がある。このような場合においても、アンテナを筐体に内蔵する構造をとることが好ましい。
【０００４】
上述のように、携帯電話機等の携帯無線機は、筐体内にアンテナを内蔵したものが主流になりつつある。このようなアンテナを内蔵した携帯無線機として、例えば、筐体内にバッテリ、回路基板、シールドケース、フレキシブル配線基板、キーシートを順次積層配置すると共に、筐体端部内にアンテナが配置される携帯電話機を例示することできる（特許文献１参照）。
【特許文献１】特開２００６−６７５２４号公報
【発明の開示】
【発明が解決しようとする課題】
【０００５】
ところで、近年、携帯電話機等の携帯無線機は更なる小型化や薄型化が要求されているが、従来のような構成では十分でなかった。
【０００６】
本発明の一の目的は、アンテナを内蔵する携帯無線機において、更なる小型化や薄型化を達成することである。
【課題を解決するための手段】
【０００７】
本発明の携帯無線機は、基準電位パターン及び電子部品を有する回路基板と、前記電子部品を覆うように配置されると共に、前記基準電位パターンと導通する導電性の第１ケース部、及び前記第１ケース部と連続的に配置されると共に、前記回路基板の外縁に配置される非導電性の第２ケース部を有するケース体と、前記ケース体における前記回路基板側と反対の側に前記第１ケース部から前記第２ケース部にわたって積層配置される配線基板と、前記回路基板、前記ケース体及び前記配線基板を収納する筐体と、を備え、前記配線基板における前記第２ケース部に積層配置された部分には、アンテナエレメントが配置される。
【０００８】
また、前記配線基板における少なくとも前記第１ケース部に積層配置された部分に複数のキースイッチを有し、筐体とキースイッチとの間にキーシートを備えることが好ましい。
【０００９】
また、前記複数のキースイッチは、前記第１ケース部から前記第２ケース部まで配置されることが好ましい。
【００１０】
また、前記第１ケース部と前記第２ケース部とは別個の部材として構成されると共に、互いに係合して一体化されていることが好ましい。
【００１１】
また、前記ケース体は、前記第１ケース部と前記第２ケース部とが樹脂により一体的に成形され、前記第１ケース部を構成する部位が導体膜により被覆されていることが好ましい。
【００１２】
また、前記回路基板における前記電子部品が配置された面と反対側の裏面には、前記アンテナエレメントに電力を供給可能な給電点が配置され、前記配線基板の前記ケース体側における面の一端側には、前記給電点に接続可能であると共に前記アンテナエレメントに導通する接続部が配置され、前記配線基板における前記接続部を含む部分が折り曲げられるようにして前記回路基板の前記裏面側に延設され、前記接続部と前記給電点とが接続されることが好ましい。
【発明の効果】
【００１３】
本発明によれば、携帯無線機における設計の自由度を高め、小型化や薄型化を達成することができる。
【発明を実施するための最良の形態】
【００１４】
以下、本発明の実施形態を、図面を参照して説明する。なお、以下、携帯無線機として携帯電話機について説明するが、本発明はこれに限定されるものではなく、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等のアンテナを備えた他の携帯無線機であってもよい。
【００１５】
図１は、本発明の一実施形態における携帯電話機１の外観斜視図である。図１に示すように、携帯電話機１は、折り畳み型の携帯電話機１であって、矩形状で薄型の操作部側筐体２１と、矩形状で薄型の表示部側筐体２２と、を備える。
【００１６】
操作部側筐体２１の上端部と表示部側筐体２２の下端部とは、ヒンジ機構２６を介して開閉可能に連結されている。携帯電話機１は、ヒンジ機構２６を介して連結された操作部側筐体２１と表示部側筐体２２とを相対的に回転（回動）することにより、操作部側筐体２１と表示部側筐体２２とが互いに開いた状態（開放状態）にしたり、操作部側筐体２１と表示部側筐体２２とを折り畳んだ状態（折畳み状態）にしたりできる。なお、本実施形態において、携帯無線機として折り畳み式の携帯電話機１の説明をしているが、折り畳み式ではなく、両筐体２１、２２を重ね合わせた状態から一方の筐体を一方向にスライドさせるようにしたスライド式や、重ね合せ方向に沿う軸線を中心に一方の筐体を回転させるようにした回転式や、両筐体２１、２２を２軸ヒンジを介して連結したもの、更には、後述する表示部２７及び操作部２４が一つの筐体に配置されるものでもよい。
【００１７】
図１に示すように、表示部側筐体２２は、折り畳んだ状態で操作部側筐体２１と向かい合う面である内側面２２ａに配置され各種情報を表示する表示部２７と、通話の相手側の音声を出力する音声出力部２９と、を備える。
【００１８】
表示部側筐体２２は、フロントケース１２２ａとリアケース１２２ｂとの内部に不図示の回路基板を収納する。この回路基板の表面には表示部２７を構成する液晶モジュールが配置される。液晶モジュールは、フロントケース１２２ａから表示面が露出するようにして収納される。また、回路基板には、スピーカ等の各種電子部品が実装されて電気的に接続されている。
【００１９】
図１に示すように、操作部側筐体２１は、折り畳んだ状態で表示部側筐体２２と向かい合う面である内側面２１ａに配置される操作部２４と、携帯電話機１の使用者が通話時に発した音声が入力される音声入力部２３と、内側面２１ａとは反対側の面である外側面２１ｂ側に配置される図１において不図示のバッテリを備える。操作部２４は、各種設定や電話帳機能やメール機能等の各種機能を作動させるための機能設定操作ボタン２４ａと、電話番号の数字やメール等の文字等を入力するための入力操作ボタン２４ｂと、各種操作における決定やスクロール等を行う決定操作ボタン２４ｃと、から構成される。
【００２０】
図２は、操作部側筐体２１に内蔵される部材の分解斜視図である。図３は、操作部側筐体２１の分解側面図である。図４（Ａ）は、ケース体６０とフレキシブル配線基板５０との構造を説明する平面図であり、図４（Ｂ）は、ケース体６０とフレキシブル配線基板５０との構造を説明する断面図である。ここで、図３はケース体６０とフレキシブル配線基板５０との関係を説明するため、フレキシブル配線基板５０がケース体６０に積層配置された状態を含む分解側面図である。
【００２１】
図２又は図３に示すように、操作部側筐体２１は、フロントケース３０と、上述した各種ボタン２４ａ、２４ｂ、２４ｃを構成するキーシート４０と、フレキシブル配線基板５０と、ケース体６０と、基準電位パターン及び携帯電話機用のＲＥＦモジュールを含む各種電子部品を備える回路基板７０と、リアケース８０と、バッテリ８５とを備える。操作部側筐体２１において、フロントケース３０と、キーシート４０と、フレキシブル配線基板５０と、ケース体６０と、回路基板７０と、リアケース８０とは、積層的に配置される。バッテリ８５は、リアケース８０に形成される不図示の開口に外側から装脱可能に収納される。
【００２２】
図２又は図３に示すように、フロントケース３０とリアケース８０とは、互いの凹状の内側面が向き合うように配置され、互いの外周縁が重なり合うようにして結合される。フロントケース３０とリアケース８０との間には、キーシート４０と、フレキシブル配線基板５０と、ケース体６０と、回路基板７０とが挟まれるようにして内蔵される。つまり、回路基板７０における第１の面７２を覆うようにケース体６０が積層配置され、ケース体６０の上面側にフレキシブル配線基板５０が積層配置され、フレキシブル配線基板５０の上面にキーシート４０が積層配置される。
【００２３】
回路基板７０には、フロントケース３０側の第１の面７２、及び第１の面７２と反対側の第２の面７３に、不図示の各種電子部品が配置される。また、回路基板７０における第１の面７２には不図示の基準電位パターンが形成される。
【００２４】
ケース体６０は、導電性の第１ケース部６２と、非導電性の第２ケース部６４とを備える。第１ケース部６２は、回路基板７０における第１の面７２に配置される不図示の各種電子部品を覆うように配置されると共に、基準電位パターンと導通する。第２ケース部６４は、第１ケース部６２の一端に連続して配置されると共に、回路基板７０の外縁に配置される。
【００２５】
図４（Ａ）及び図４（Ｂ）に示すように、第１ケース部６２と第２ケース部６４とは別個の部材であって、互いに係合して一体化される。具体的には、第１ケース部６２の一端に形成される凹状の被係合部４８ａに、第２ケース部６４の一端に形成される凸状の係合部４４ａが係合することで一体的に組み合わさって固定される。互いに係合した状態の第１ケース部６２と第２ケース部６４とにより構成される回路基板７０と反対側の表面は、連続する滑らかな一の面６０ａを形成する。
【００２６】
第１ケース部６２は、薄型の直方体における一の広い面が開口した形状を有する金属製の部材である。具体的には、図３に示すように、第１ケース部６２は、平板部４２と、平板部４２における一方の面に略垂直に形成されるリブ４４とを有する。リブ４４は、平板部４２の周縁及び内側の所定の位置に形成される。また、リブ４４は、回路基板７０における第１の面７２に実装される各種電子部品のうち最も高さのある電子部品の高さと同等又はそれよりも十分に高くなるよう形成される。なお、第１ケース部６２は、金属により形成する以外に、骨格を樹脂により形成し、その表面に導体膜を形成したものでもよい。
【００２７】
第１ケース部６２は、リブ４４により、回路基板７０における第１の面７２に形成される基準電位パターンと導通する。これにより、第１ケース部６２は、基準電位パターンと導通して同じ大きさの電位を有するようになる。つまり、第１ケース部６２は、シールドケースとして機能する。よって、第１ケース部６２は、シールドケースとして外部からのノイズが回路基板７０の第１の面７２に配置される不図示の各種電子部品に作用するのを防ぐと共に、電子部品としてのＲＦ（Ｒａｄｉｏ  Ｆｒｅｑｕｅｎｃｙ）モジュール等の高周波回路から放出されるノイズを吸収して、第１の面７２に配置される他の電子部品に作用することを防ぐ。
【００２８】
第１ケース部６２は、回路基板７０の上面に載置された状態で、一端側が回路基板７０よりも短くなるよう形成される。そして、この回路基板７０における第１ケース部６２が配置されない部分に第２ケース部６４が配置される。
【００２９】
第２ケース部６４は、図４（Ａ）及び図４（Ｂ）に示すように、第１ケース部６２の上面側に連続する曲面６５ａと該曲面６５ａに連続して形成される垂直な平面６５ｂとにより構成される壁部６５を有する樹脂性の部材である。第２ケース部６４が第１ケース部６２と一体的に係合することで、平板部４２と壁部６５とが連続する一の面６０ａを形成する。この連続する面に、後述するフレキシブル配線基板５０が積層配置される。
【００３０】
フレキシブル配線基板５０は、フロントケース３０側の面に複数のキースイッチ５２４ａ、５２４ｂ、５２４ｃを有し、ケース体６０における第１ケース部６２の平板部４２、及び第２ケース部６４の壁部６５に載置される。フレキシブル配線基板５０は、変形自在であるためケース体６０に載置された状態において、第１ケース部６２から延出し、第１ケース部６２から第２ケース部６４にわたって載置することができる。
【００３１】
フレキシブル配線基板５０のキースイッチ５２４ａ、５２４ｂ、５２４ｃは、椀状に湾曲して立体的に形成された金属板のメタルドームを有する構造になっている。メタルドームは、その椀状形状の頂点が押圧されると、フレキシブル配線基板５０の表面に印刷された不図示の電気回路に形成されるスイッチ端子に接触して電気的に導通する。
【００３２】
フレキシブル配線基板５０における前記第２ケース部６４に積層配置される部分には、アンテナエレメント６６が配置される。第２ケース部６４が携帯電話機１における一端側に配置されるので、アンテナエレメント６６は、携帯電話機１における一端側に配置される。具体的には、ヒンジ機構２６側と反対の端部側に配置される。
【００３３】
アンテナエレメント６６は、帯状の金属膜であって、フレキシブル配線基板５０の第２ケース部６４側と反対側の面に沿うように配置される。言い換えると、アンテナエレメント６６は、フレキシブル配線基板５０におけるキースイッチ５２４ａ、５２４ｂ、５２４ｃが配置された面に沿うようにして配置される。具体的には、図４（Ａ）に示すように、アンテナエレメント６６は、帯状の金属膜が第２ケース部６４の壁部６５における第１ケース部６２側に位置して互いに離間する２点を繋ぐように壁部６５の外縁側を周回すると共に、第１ケース部６２から離れた側において外方に突出する凸部を有する形状になるよう配置される。
【００３４】
なお、フレキシブル配線基板５０は、複数の絶縁フィルムの間に配線を挟み込んだものであるが、アンテナエレメント６６を第２ケース部６４側と反対側に形成する場合には、第２ケース部６４と対向する領域のフレキシブル配線基板５０を構成する絶縁フィルム間には配線を設けないようにしてある。
【００３５】
また、アンテナエレメント６６は、フレキシブル配線基板５０の第２ケース部６４側と反対側の面に形成する以外に、フレキシブル配線基板５０の第２ケース部６４側の面に沿って形成してもよく、この場合にも第２ケース部６４と対向する領域のフレキシブル配線基板５０を構成する絶縁フィルム間には配線を設けないようにする。更に、アンテナエレメント６６は、フレキシブル配線基板５０の表面に形成するのではなく、第２ケース部６４と対向する領域のフレキシブル配線基板５０内の配線をアンテナエレメント６６として用いることができる。
【００３６】
フレキシブル配線基板５０におけるアンテナエレメント６６が積層配置される部分は、第２ケース部６４の壁部６５における曲面６５ａから垂直な平面６５ｂにわたって配置される。第２ケース部６４の壁部６５における曲面６５ａや垂直な平面６５ｂは、ケース体６０や回路基板７０における広い面と交差する面（平行ではない面）であり、アンテナエレメント６６は、ケース体６０や回路基板７０における広い面と交差するような位置関係で配置される。
【００３７】
フレキシブル配線基板５０がケース体６０に載置された状態において、アンテナエレメント６６は、給電端子７７を介して回路基板７０から給電される。給電端子７７は、第２ケース部６４における壁部６５の垂直な平面６５ｂに形成された不図示の孔部に挿通され、一端がフレキシブル配線基板５０におけるアンテナエレメント６６が配置される面と反対側の裏面に形成される接点５５に接続される。接点５５は、アンテナエレメント６６に導通する。給電端子７７の他端は、回路基板７０の端面に配置されると共に不図示の給電部に接続される導電部７５に接続される。これにより、アンテナエレメント６６は、給電端子７７を介して回路基板７０から給電されると共に回路基板７０のＲＦモジュール等の高周波回路と接続される。
【００３８】
キーシート４０は、シリコンゴム製のシート４１の表面に複数のキートップ４２４ａ、４２４ｂ、４２４ｃが接着剤により貼り付けられて構成される。キーシート４０における複数のキートップ４２４ａ、４２４ｂ、４２４ｃは、フレキシブル配線基板５０におけるキースイッチ５２４ａ、５２４ｂ、５２４ｃと対向する位置に配置されると共に、後述するフロントケース３０に形成される不図示のキー孔から露出するように配置される。
【００３９】
フロントケース３０には、携帯電話機１を折り畳んだ状態で表示部側筐体２２の表示部２７と対向する内側面２１ａに、キー孔が複数形成される。複数のキー孔それぞれからは、キーシート４０に貼り付けられるキートップ４２４ａ、４２４ｂ、４２４ｃそれぞれの押圧面が露出する。この露出したキートップ４２４ａ、４２４ｂ、４２４ｃそれぞれの押圧面を押し下げるように押圧することで、対応するキースイッチ５２４ａ、５２４ｂ、５２４ｃそれぞれにおけるメタルドーム（椀状形状）の頂点が押圧され、スイッチ端子に接触して電気的に導通する。
【００４０】
本実施形態によれば、アンテナエレメント６６をフレキシブル配線基板５０に形成すると共に、該フレキシブル配線基板５０をケース体６０に載置している。具体的には、フレキシブル配線基板５０におけるアンテナエレメント６６が配置される部分を、第２ケース部６４に積層配置している。これにより、従来のようなアンテナ基台が回路基板と並列に配置される構造に比べて、携帯電話機１を小型化や薄型化することができる。例えば、従来のアンテナ基台の占有部分に他の部品を配置することで、携帯電話機１を小型化や薄型化することができる。
【００４１】
また、図７に示すように、従来、給電端子７７Ｂは、アンテナ基台６４Ｂの一部であって回路基板７０Ｂの下面に配置される部分から上方（厚さ方向）に延びるように配置され、回路基板７０Ｂと接続配置されていた。本実施形態によれば、図７におけるアンテナ基台６４Ｂの下面から回路基板７０Ｂの下面まので距離分を薄型化することができる。
【００４２】
また、本実施形態のように、第２ケース部６４における壁部６５の垂直な平面６５ｂに形成された不図示の孔部に給電端子７７を挿通して回路基板７０からアンテナエレメント６６に直接給電することで、所定の導電線を引き回す場合に比べて外来ノイズや高周波によるアンテナ特性への悪影響を抑制できる。
【００４３】
また、本実施形態によれば、第１ケース部６２と第２ケース部６４とは互いに別個の部材であるため、それぞれの機能に適した特性の材質により形成することができる。
【００４４】
また、本実施形態によれば、第１ケース部６２と第２ケース部６４とは互いに独立した製造工程により製造されるので、第１ケース部６２や第２ケース部６４の設計変更にそれぞれ好適に対応できる。
【００４５】
また、本実施形態によれば、第２ケース部６４と第１ケース部６２とを一体化したケース体６０に、アンテナエレメント６６が形成されたフレキシブル配線基板５０を貼り付けることで、これを一体として筐体内に組み込むことができる。これにより、筐体内への組み込み作業の負荷を低減することができる。
【００４６】
また、本実施形態によれば、アンテナエレメント６６を操作部側筐体２１の端部に配置すると共に、回路基板７０の最も広い面を含む平面と交差する位置関係となるように配置してあるため、アンテナエレメント６６が手などにより覆われることを防ぐことができると共に、外来から届く電波を受信し易い構成とすることができる。
【００４７】
ここで、上述した実施形態において、図４（Ｂ）に示すように、アンテナエレメント６６は、回路基板７０の端面に配置される導電部７５に接続されると共にケース体６０における壁部６５に形成される不図示の孔に挿通する給電端子７７を介して回路基板７０から給電されるが、本発明はこれに限定されない。以下に、図８を参照しながら他の実施形態について説明する。なお、他の実施形態においては、フレキシブル配線基板５０や給電構造を除いて上述した実施形態と同様であるため、この同様な部分の説明は省略する。
【００４８】
図８は、他の実施形態におけるケース体６０とフレキシブル配線基板５０との構造を説明する部分断面図である。図８に示すように、フレキシブル配線基板５０がケース体６０に載置された状態において、アンテナエレメント６６は、給電端子７００を介して回路基板７０から給電される。
【００４９】
給電端子７００は、回路基板７０のうちケース体６０が配置される側とは反対側の第２の面（裏面）７３に設けられる。
【００５０】
そして、給電端子７００に接続してアンテナエレメント６６に給電する接点５００は、フレキシブル配線基板５０のケース体６０側における面の一端側に設けられる。この接点５００は、アンテナエレメント６６に導通する。
【００５１】
他の実施形態におけるフレキシブル配線基板５０は、上述した実施形態におけるフレキシブル配線基板５０よりも長くなるよう構成される。そして、フレキシブル配線基板５０は、第２ケース部６４における曲面６５ａから垂直な平面６５ｂにわたって配置されると共に、ケース体６０から延出する部分を、その垂直な平面６５ｂの端面において回路基板７０における給電端子７００が設けられる面に向けて折り曲げるようにして配置される。つまり、フレキシブル配線基板５０は、フレキシブル配線基板５０における接点５００を含む部分を、垂直な平面６５ｂの端部において折り曲げるようにして、回路基板７０の第２の面（裏面）７３に延設させることで、接点５００と給電端子７００とが接続するようにして配置される。
【００５２】
このように構成することで、アンテナエレメント６６は、給電端子７００を介して回路基板７０から給電されると共に、回路基板７０のＲＦモジュール等の高周波回路と接続される。
【００５３】
他の実施形態によれば、上述した実施形態における効果に加え、回路基板７０の一面に給電端子７００を設けると共に、フレキシブル配線基板５０の一面に接点５００を設けるという簡易な構造により、給電構造を構成できる。よって、製造時における負担が軽減されると共に、製造コストを抑制することができる。
【００５４】
以上、本発明の好適な実施形態及び他の実施形態について説明したが、本発明は上述した実施形態及び他の実施形態に限定されることなく種々の形態で実施することができる。実施形態及び他の実施形態において、第１ケース部６２と第２ケース部６４とは別個の部材により構成されるとしたが、これらを一体の部材として形成してもよい。例えば、第１ケース部６２及び第２ケース部６４を樹脂により一体的に成形すると共に、第１ケース部６２を構成する部位を導体膜により被覆したものを用いてもよい。ここで、導体膜は、蒸着、メッキやスパッタリングにより形成することができる。
【００５５】
このように、第１ケース部６２と第２ケース部６４とを一体の部材として形成した場合、製造工程を簡略化できると共に、携帯電話機１の組立て作業における負荷を軽減することができる。
【００５６】
また、実施形態及び他の実施形態において、第２ケース部６４における壁部６５は曲面を有する形状であるが、これに限定されず、図５に示すように、上面も平面状である形状とすることができる。この場合、給電端子７７Ａは、回路基板７０Ａにおける第１の面７２Ａから上方（厚さ方向）に延びるように配置できる。
【００５７】
このように、第２ケース部６４を上面も平面状である形状とすることで、ケース体６０に載置されるフレキシブル配線基板５０におけるキースイッチ５２４ａ、５２４ｂ、５２４ｃ、及びこれらに対応するキーシート４０におけるキートップ４２４ａ、４２４ｂ、４２４ｃを、第１ケース部６２から第２ケース部６４にわたって配置することができる。これにより、キースイッチ５２４ａ、５２４ｂ、５２４ｃそれぞれの間隔及びキートップ４２４ａ、４２４ｂ、４２４ｃそれぞれの間隔を広くして配置することができ、逆に操作部側筐体２１の長さを短くして携帯電話機１を小型化することもできる。
【００５８】
また、アンテナエレメント６６を、フレキシブル配線基板５０に形成されたプリント配線の一部により構成することができる。これにより、低コストで簡易にアンテナを形成することができる。また、アンテナエレメント６６の大きさ、形状及び配置位置の自由度を高めることができる。更に、アンテナエレメント６６の成型に金型が必要ないためリードタイムが短くてすむ。
【００５９】
また、図６に示すように、フレキシブル配線基板５０におけるキースイッチ５２４ａ、５２４ｂ、５２４ｃの電気回路に、高周波を除去するコイル等を配置することができる。これにより、フレキシブル配線基板５０におけるキースイッチ５２４ａ、５２４ｂ、５２４ｃがアンテナエレメント６６の近傍まで配置されることによる高周波のアンテナ特性への悪影響を抑制することができる。
【図面の簡単な説明】
【００６０】
【図１】本発明の一実施形態における携帯電話機１の外観斜視図である。
【図２】操作部側筐体２１に内蔵される部材の分解斜視図である。
【図３】操作部側筐体２１の分解側面図である。
【図４】（Ａ）ケース体６０とフレキシブル配線基板５０との構造を説明する部分平面図であり、（Ｂ）ケース体６０とフレキシブル配線基板５０との構造を説明する部分断面図である。
【図５】変形形態におけるケース体６０とフレキシブル配線基板５０との構造を説明する部分側面図である。
【図６】変形形態におけるスイッチの電気回路を説明する図である。
【図７】従来の給電構造を説明する部分側面図である。
【図８】他の実施形態におけるケース体６０とフレキシブル配線基板５０との構造を説明する部分断面図である。
【符号の説明】
【００６１】
１      携帯電話機
２１    操作部側筐体
２２    表示部側筐体
３０    フロントケース
４０    キーシート
５０    フレキシブル配線基板
６０    ケース体
６２    第１ケース部
６４    第２ケース部
６６    アンテナエレメント
７０    回路基板
７２    第１の面
７３    第２の面（裏面）
８０    リアケース
８５    バッテリ
【図１】
2008113209.tif 000003
【図２】
2008113209.tif 000004
【図３】
2008113209.tif 000005
【図４】
2008113209.tif 000006
【図５】
2008113209.tif 000007
【図６】
2008113209.tif 000008
【図７】
2008113209.tif 000009
【図８】
2008113209.tif 000010